(57)【要約】【課題】  簡単に組み立てることができて、安定かつ確実に起立させることができ、しかも、材料歩留が良くストックスペースも取らず、汎用性も高い組立式簡易フレームを提供すること。【解決手段】  櫛歯状平板からなる基板１の所定部位を折曲して立体枠状に組立可能なフレーム部材であって、前記基板１の上部にはフレームバー２を形成して、このフレームバー２の側縁部には一対の結合手段21・21を形成する一方、このフレームバー２からは三以上の脚部３を平行して垂設して、かつ、これら各脚部３には長手方向に沿って折曲可能な折曲線31を形成して、前記フレームバー２の側縁部における結合手段21・21同士を結合して上部にフレームを形成して、前記脚部３により起立可能にするという技術的手段を採用した。【選択図】  図１
2018095395.tif 000002
【特許請求の範囲】
【請求項１】
櫛歯状平板からなる基板（１）の所定部位を折曲して立体枠状に組立可能なフレーム部材であって、
前記基板（１）の上部にはフレームバー（２）が形成され、このフレームバー（２）の側縁部には一対の結合手段（21・21）が形成されている一方、このフレームバー（２）からは三以上の脚部（３）が平行して垂設されており、かつ、これら各脚部（３）には長手方向に沿って折曲可能な折曲線（31）が形成されており、
前記フレームバー（２）の側縁部における結合手段（21・21）同士が結合して上部にフレームが形成されて、前記脚部（３）により起立可能であることを特徴とする組立式簡易フレーム。
【請求項２】
各脚部（３）の下端近傍には連結孔（32）が形成されている一方、当該脚部（３）の一部が長手方向に切り込まれて連結アーム（33）が一体成形され、この連結アーム（33）の先端部には連結片（33ａ）が形成されており、
連結アーム（33）の基端部が折曲して側方に傾倒して、隣設した脚部（３）の連結孔（32）に連結片（33ａ）が係合して連結可能であることを特徴とする請求項１記載の組立式簡易フレーム。
【請求項３】
脚部（３）の連結アーム（33）の軸方向に沿って中折り部（33ｃ）が形成されており、この中折り部（33ｃ）を折曲した状態で、連結片（33ａ）が連結孔（32）に係合して連結可能であることを特徴とする請求項２記載の組立式簡易フレーム。
【請求項４】
各脚部（３）の一部が長手方向に切り込まれて連結アーム（33）が一体成形され、この連結アーム（33）の先端部には連結片（33ａ）が形成されており、
連結アーム（33）の基端部が折曲して側方に傾倒して、隣設した脚部（３）の連結片（33ａ）同士が係合して連結可能であることを特徴とする請求項１記載の組立式簡易フレーム。
【請求項５】
フレームバー（２）の上縁部に折返片（22）が形成され、かつ、この折返片（22）には止着孔（22ａ）が形成されている一方、
脚部（３）の一部が長手方向に切り込まれて止着アーム（34）が一体成形されており、この止着アーム（34）が上方に折り返されてその先端部が前記止着孔（22ａ）に挿入可能であることを特徴とする請求項１〜４の何れか一つに記載の組立式簡易フレーム。
【請求項６】
脚部（３）の長手方向に沿って同一線上に連結アーム（33）と止着アーム（34）とがそれぞれ成形されていることを特徴とする請求項５記載の組立式簡易フレーム。
【請求項７】
脚部（３）の連結アーム（33）の先端が山型に形成されている一方、この残部として止着アーム（34）の先端に突起（34ａ）が形成されていることを特徴とする請求項６記載の組立式簡易フレーム。
【請求項８】
フレームバー（２）の側縁部における折返片（22Ｐ）に一方の結合手段（21）が形成されており、
折返片（22Ｐ）を側方に折曲して突出させて、他方の結合手段（21）に結合可能であることを特徴とする請求項５〜７の何れか一つに記載の組立式簡易フレーム。
【請求項９】
フレームバー（２）の一方の結合手段（21）が、端縁から切り込まれた羽根片（21ａ）である一方、他方の結合手段（21）が通孔（21ｂ）であって、
羽根片（21ａ）を折り畳んだ状態で通孔（21ｂ）に挿入して当該羽根片（21ａ）が展開して掛止可能であることを特徴とする請求項１〜８の何れか一つに記載の組立式簡易フレーム。
【請求項１０】
フレームバー（２）の一方の結合手段（21）が切り込みによる起こし片（21ｃ）であって、
この起こし片（21ｃ）を側方に折曲して突出させて、他方の結合手段（21）に結合可能であることを特徴とする請求項１〜９の何れか一つに記載の組立式簡易フレーム。
【請求項１１】
同一形状の櫛歯状平板の基板（１・１）が、矩形板体上に二枚一組で対向配置されて構成されていることを特徴とする請求項１〜１０の何れか一つに記載の組立式簡易フレーム。
【発明の詳細な説明】
【技術分野】
【０００１】
本発明は、ゴミ箱やテーブル脚などに使用可能な簡易なフレーム部材に関するものであり、更に詳しくは、簡単に組み立てることができて、安定かつ確実に起立させることができ、しかも、材料歩留が良くストックスペースも取らず、汎用性も高い組立式簡易フレームに関するものである。
【背景技術】
【０００２】
イベント会場などの多数の来場者が訪れる場所においては、会場にゴミが散乱しないように、相当数のゴミ箱を設置する必要があるが、在庫数量が多いと未使用時における保管スペースの確保が必要であるという問題がある。
【０００３】
また、ゴミ箱自体も使用後にはひどく汚れていることが多くて不衛生であるため、洗浄コストが不可避的にかかってしまう上に、しかも、イベント開催期間は短く入れ替わりが多いため、更にこの洗浄頻度も高くなるという問題もあった。
【０００４】
かかる問題を解決するために、従来、使い捨て式のゴミ箱が開示されている（例えば、特許文献１参照）。
【０００５】
しかしながら、かかる従来のゴミ箱の構成は、ゴミ袋の中身が見えないため、満杯になったゴミ袋の交換時期がわからないという問題がある。また、一枚の厚紙を丸めて構成されているため、丸めた厚紙で保持可能なゴミ袋の容量には限界があるし、また、一枚の厚紙から一つのゴミ箱しかできず、材料の歩留が悪いという問題もある。
【０００６】
また、アウトドアレジャーにおいては、テーブルやバーベキューコンロなどを使用するが、使用後には脚部が汚れが付いていて洗浄や分解等の後片付け作業が面倒であることから、使用後にそのまま廃棄できる手軽さが求められている。
【先行技術文献】
【特許文献】
【０００７】
【特許文献１】実開昭５２−６０１８６号公報
【発明の概要】
【発明が解決しようとする課題】
【０００８】
本発明は、上記のような問題があったことに鑑みて為されたものであり、その目的とするところは、簡単に組み立てることができて、安定かつ確実に起立させることができ、しかも、材料歩留が良くストックスペースも取らず、汎用性も高い組立式簡易フレームを提供することにある。
【課題を解決するための手段】
【０００９】
本発明者が上記技術的課題を解決するために採用した手段を、添付図面を参照して説明すれば、次のとおりである。
【００１０】
即ち、本発明は、櫛歯状平板からなる基板１の所定部位を折曲して立体枠状に組立可能なフレーム部材であって、
前記基板１の上部にはフレームバー２を形成して、このフレームバー２の側縁部には一対の結合手段21・21を形成する一方、このフレームバー２からは三以上の脚部３を平行して垂設して、かつ、これら各脚部３には長手方向に沿って折曲可能な折曲線31を形成して、
前記フレームバー２の側縁部における結合手段21・21同士を結合して上部にフレームを形成して、前記脚部３により起立可能にするという技術的手段を採用したことによって、組立式簡易フレームを完成させた。
【００１１】
また、本発明は、上記課題を解決するために、必要に応じて上記手段に加え、各脚部３の下端近傍には連結孔32を形成する一方、当該脚部３の一部を長手方向に切り込んで連結アーム33を一体成形し、この連結アーム33の先端部には連結片33ａを形成して、
連結アーム33の基端部を折曲して側方に傾倒して、隣設した脚部３の連結孔32に連結片33ａを係合して連結可能にするという技術的手段を採用することもできる。
【００１２】
更にまた、本発明は、上記課題を解決するために、必要に応じて上記手段に加え、脚部３の連結アーム33の軸方向に沿って中折り部33ｃを形成して、この中折り部33ｃを折曲した状態で、連結片33ａを連結孔32に係合して連結可能にするという技術的手段を採用することもできる。
【００１３】
更にまた、本発明は、上記課題を解決するために、必要に応じて上記手段に加え、各脚部３の一部を長手方向に切り込んで連結アーム33を一体成形して、この連結アーム33の先端部には連結片33ａを形成して、
連結アーム33の基端部を折曲して側方に傾倒して、隣設した脚部３の連結片33ａ同士を係合して連結可能にするという技術的手段を採用することもできる。
【００１４】
更にまた、本発明は、上記課題を解決するために、必要に応じて上記手段に加え、フレームバー２の上縁部に折返片22を形成して、かつ、この折返片22には止着孔22ａを形成する一方、
脚部３の一部を長手方向に切り込んで止着アーム34を一体成形して、この止着アーム34を上方に折り返してその先端部を前記止着孔22ａに挿入可能にするという技術的手段を採用することもできる。
【００１５】
更にまた、本発明は、上記課題を解決するために、必要に応じて上記手段に加え、脚部３の長手方向に沿って同一線上に連結アーム33と止着アーム34とをそれぞれ成形するという技術的手段を採用することもできる。
【００１６】
更にまた、本発明は、上記課題を解決するために、必要に応じて上記手段に加え、脚部３の連結アーム33の先端を山型に形成する一方、この残部として止着アーム34の先端に突起34ａを形成するという技術的手段を採用することもできる。
【００１７】
更にまた、本発明は、上記課題を解決するために、必要に応じて上記手段に加え、フレームバー２の側縁部における折返片22Ｐに一方の結合手段21を形成して、
折返片22Ｐを側方に折曲して突出させて、他方の結合手段21に結合可能にするという技術的手段を採用することもできる。
【００１８】
更にまた、本発明は、上記課題を解決するために、必要に応じて上記手段に加え、フレームバー２の一方の結合手段21を、端縁から切り込まれた羽根片21ａにする一方、他方の結合手段21を通孔21ｂにして、
羽根片21ａを折り畳んだ状態で通孔21ｂに挿入して当該羽根片21ａを展開させて掛止可能にするという技術的手段を採用することもできる。
【００１９】
更にまた、本発明は、上記課題を解決するために、必要に応じて上記手段に加え、フレームバー２の一方の結合手段21を切り込みによる起こし片21ｃにして、
この起こし片21ｃを側方に折曲して突出させて、他方の結合手段21に結合可能にするという技術的手段を採用することもできる。
【００２０】
更にまた、本発明は、上記課題を解決するために、必要に応じて上記手段に加え、同一形状の櫛歯状平板の基板１・１を、矩形板体上に二枚一組で対向配置して構成するという技術的手段を採用することもできる。
【発明の効果】
【００２１】
本発明は、基板の上部にはフレームバーを形成して、このフレームバーの側縁部には一対の結合手段を形成する一方、このフレームバーからは三以上の脚部を平行して垂設して、かつ、これら各脚部には長手方向に沿って折曲可能な折曲線を形成して、
前記フレームバーの側縁部における結合手段同士を結合して上部にフレームを形成して、前記脚部により起立可能にしたことによって、簡単に組み立てることができて、安定かつ確実に起立させることができる。
【００２２】
また、本発明の組立式簡易フレームは、板体への切り込み工程（カッターによるプレス）のみで、すべての構造部位を成形することができ、廃棄部分を出さずに材料歩留が良く、極めて簡素な工程で製造することができることから、製造コストを劇的に抑えることができる。
【００２３】
更にまた、組立前の展開されたものは薄い板体であるため、重ねるだけで良くストックスペースも取らない。そして、必要に応じて、同一形状の櫛歯状平板の基板を、矩形板体上に二枚一組で対向配置して構成することができるので、非常に生産効率が高く、大量生産も容易になる。
【００２４】
そして、ゴミ袋を支持するためのゴミ箱や、アウトドアレジャーなどに用いるテーブルやコンロなどの脚部材などの様々な用途に使用することができ、使用後に汚れてしまっても、そのまま廃棄することができて非常に手軽で便利であることから、産業上の利用価値は頗る大きい。
【図面の簡単な説明】
【００２５】
【図１】本発明の第１実施形態の組立式簡易フレームを表わす展開図である。
【図２】本発明の第１実施形態の組立式簡易フレームを表わす展開図である。
【図３】本発明の第１実施形態の組立式簡易フレームを表わす展開図である。
【図４】本発明の第２実施形態の組立式簡易フレームを表わす展開図である。
【図５】本発明の第２実施形態の組立式簡易フレームを表わす全体斜視図である。
【図６】本発明の第２実施形態の組立式簡易フレームの構造を表わす部分斜視図である。
【図７】本発明の第２実施形態の組立式簡易フレームの構造を表わす部分斜視図である。
【図８】本発明の第２実施形態の組立式簡易フレームの構造を表わす部分斜視図である。
【図９】本発明の第２実施形態の組立式簡易フレームの構造を表わす部分斜視図である。
【図１０】本発明の第２実施形態の組立式簡易フレームの構造を表わす部分斜視図である。
【図１１】本発明の第２実施形態の組立式簡易フレームの構造を表わす部分斜視図である。
【図１２】本発明の第２実施形態の組立式簡易フレームの構造を表わす部分斜視図である。
【図１３】本発明の第２実施形態の組立式簡易フレームの構造を表わす部分斜視図である。
【図１４】本発明の第２実施形態の組立式簡易フレームの構造を表わす部分斜視図である。
【図１５】本発明の第２実施形態の組立式簡易フレームの構造を表わす全体斜視図である。
【図１６】本発明の第３実施形態の組立式簡易フレームを表わす展開図である。
【図１７】本発明の第３実施形態の組立式簡易フレームを表わす展開図である。
【図１８】本発明の第３実施形態の組立式簡易フレームを表わす展開図である。
【図１９】本発明の第４実施形態の組立式簡易フレームを表わす展開図である。
【図２０】本発明の第４実施形態の組立式簡易フレームを表わす展開図である。
【図２１】本発明の第４実施形態の組立式簡易フレームを表わす展開図である。
【図２２】本発明の第４実施形態の組立式簡易フレームを表わす展開図である。
【発明を実施するための形態】
【００２６】
『第１実施形態』
本発明の第１実施形態を図１から図３に基づいて説明する。本実施形態は、本発明の組立式簡易フレームの基本的構成であり、展開図のみを示している。図中、符号１で指示するものは基板であり、この基板１は、紙製またはプラスチック製のダンボールや、所定厚のシート材などを使用材料とする剛性を有する板体であって、折り曲げた位置において塑性変形するものが好ましい。また、符号２で指示するものはフレームバーであり、符号３で指示するものは脚部である。
【００２７】
本発明の組立式簡易フレームは、櫛歯状平板からなる基板１の所定部位を折曲して立体枠状に組立可能なフレーム部材であって、構成するにあっては、まず、前記基板１の上部にはフレームバー２を形成して、このフレームバー２の側縁部には一対の結合手段21・21を形成する。即ち、フレームバー２は、フレームの周囲となる全長に亙る部分である。前記結合手段21・21の形態については後述する。
【００２８】
そして、このフレームバー２からは三以上の脚部３を平行して垂設して、かつ、これら各脚部３には長手方向に沿って折曲可能な折曲線31（図中の一点鎖線）を形成する。本実施形態では４本の脚部３を略等間隔に設け、特に、各折曲線31同士を等間隔にすることにより、正方形のフレームを形成することができる。
【００２９】
なお、本実施形態では、展開図のみを示しているが、組み立てる際には、前記全ての折曲線31を９０度の直角Ｌ字状に折曲するとともに、前記フレームバー２の側縁部における結合手段21・21同士を結合して上部にフレームを形成して、前記脚部３により起立させることができる。
【００３０】
本実施形態における結合手段21・21は、図１および図２に示すような形状に構成することができるが（結合方法の詳細は後述する）、この際、図３に示すように、結合手段21・21の配設位置を図２に示した位置とは逆に入れ替えることもできる。
【００３１】
このようにして、簡単に組み立てることができ、この簡易フレームは、ゴミ袋を支持するためのゴミ箱や、アウトドアレジャーなどに用いるテーブルやコンロなどの脚部材などの様々な用途に使用することができる。
【００３２】
『第２実施形態』
本発明の第２実施形態を図４から図１５に基づいて説明する。図４は本実施形態の組立式簡易フレームの展開図であり、図５は全体斜視図である。本実施形態では、まず、各脚部３の下端近傍には連結孔32を形成する一方、当該脚部３の一部を長手方向に切り込んで連結アーム33を一体成形して、この連結アーム33の先端部には連結片33ａを形成する。
【００３３】
そして、連結アーム33の基端部を折曲して側方（直角方向）に傾倒して、隣設した脚部３の連結孔32に連結片33ａを係合して連結することができる。この際、基端部を折曲しやすいように、例えば４５度のガイド線などを設けるのが好ましい。また、連結片33ａに凸部33ｂを設けることにより、連結孔32に対する引っ掛かりを良くすることができる。この凸部33ｂについても切り込みのみで一体に成形することができる。
【００３４】
また、本実施形態では、脚部３の連結アーム33の軸方向に沿って中折り部33ｃを形成して、この中折り部33ｃを折曲した状態で、連結片33ａが連結孔32に係合して連結することができる（図６参照）。こうすることにより、連結アーム33の剛性が向上するとともに、先端が三角形になるために、連結孔32の内側で先端が拡開して係合力を強化することができる。
【００３５】
更にまた、本実施形態では、フレームバー２の上縁部に折返片22を形成して、かつ、この折返片22には止着孔22ａを形成する一方、脚部３の一部を長手方向に切り込んで止着アーム34を一体成形して、この止着アーム34を上方に折り返してその先端部を前記止着孔22ａに挿入することができる（図７参照）。
【００３６】
こうすることにより、例えば、フレームバー２および脚部３により構成されたフレームの内側において、前記折返片22を外側に折り返した状態でゴミ袋を開口させて装着して、このゴミ袋の開口縁部が止着孔22ａに充行われた状態で、そこに止着アーム34を挿入することによって、ゴミ袋が押し込まれて止着することができる。
【００３７】
なお、この際、脚部３の長手方向に沿って同一線上に連結アーム33と止着アーム34とをそれぞれ成形することができ、基板１の材料を無駄なく有効に使用することができる。
【００３８】
更にまた、本実施形態では、脚部３の連結アーム33の先端を山型に形成する一方、この残部として止着アーム34の先端に突起34ａを形成することができ、止着アーム34を止着孔22ａに挿入して、この突起34ａをゴミ袋の開口縁部に高い押圧力で食い込ませることができ、ゴミ袋をより確実に止着することができる。
【００３９】
また、本実施形態では、図８から図１２に示すように、フレームバー２の側縁部における折返片22Ｐに一方の結合手段21を形成して、折返片22Ｐを側方に折曲して突出させて、他方の結合手段21に結合することができる。こうすることにより、基板１の縁部からはみ出ることなく内側に形成できるので使用材料に無駄が出ない。
【００４０】
具体的には、まず、図８に示す状態から、直角方向に折り曲げて図９の状態にし、更に下方に折り曲げる。この際、フレームバー２の一方の結合手段21を、端縁から切り込まれた羽根片21ａにする一方、他方の結合手段21を通孔21ｂにして、羽根片21ａを折り畳んだ状態（図１０参照）で通孔21ｂに挿入して当該羽根片21ａが展開して掛止可能にすることができる（図１１参照）。こうすることにより、簡単な操作で掛止できて、かつ、抜けにくくすることができる。
【００４１】
また、本実施形態では、図１３および図１４に示すように、フレームバー２の一方の結合手段21を切り込みによる起こし片21ｃにして、この起こし片21ｃを側方に折曲して突出させて、他方の結合手段21に結合可能にすることができる。こうすることにより、基板１の縁部からはみ出ることなく内側に形成できるので使用材料に無駄が出ない。なお、第１実施形態の図２および図３に示すとおり、起こし片21ｃの配設位置は、逆に入れ替えることができる。
【００４２】
この際、起こし片21ｃの先端を羽根片21ａにする一方、他方の結合手段21を通孔21ｂにすることにより、前記同様に結合することができる。
【００４３】
また、本実施形態では、図１５に示すように、脚部３の連結アーム33において中折り部33ｃを形成しなくても良く、例えば、連結片33ａにスリットを設けて、連結孔32に掛止するものであっても良い。
【００４４】
また、図示しないが、各脚部３の一部を長手方向に切り込んで連結アーム33を一体成形して、この連結アーム33の先端部には連結片33ａを形成して、連結アーム33の基端部を折曲して側方に傾倒して、隣設した脚部３の連結片33ａ同士を係合すること（所謂「握手式」）によっても連結することができる。この際、連結片33ａは、各連結アーム33に互いに異なる方向（例えば上側と下側から）のスリットを形成して、これらを掛止するなど種々の構造を採用することができる。なお、脚部３同士の連結箇所は複数あるため、間隔によって、連結片33ａ同士を係合するものと、連結アーム33の連結片33ａを連結孔32に挿通して係合するものとを併用することもできる。
【００４５】
『第３実施形態』
本発明の第３実施形態を図１６から図１８に基づいて説明する。本実施形態は、組立後のフレームの断面形状が正方形以外の長方形、正三角形、直角二等辺三角形で構成するものである。具体的には、基板１における脚部３の数および折曲線31同士の間隔を調整するものであり、図１６に示すものはフレームの断面形状が長方形の場合の展開図であり、各脚部３に長手方向に沿って形成した折曲線31を折曲して組み立てることができる。
【００４６】
また、図１７に示すものはフレームの断面形状が正三角形の場合の展開図であり、各脚部３に長手方向に沿って形成した折曲線31を折曲して組み立てることができる。
【００４７】
同様に、図１８に示すものはフレームの断面形状が直角二等辺三角形の場合の展開図であり、各脚部３に長手方向に沿って形成した折曲線31を折曲して組み立てることができる。直角二等辺三角形に構成した場合は、例えば、壁面の隅角部などにおいて、２つの短辺を壁面に沿って設置して、省スペースに収めることができる。
【００４８】
なお、本実施形態に示した、フレームの断面形状が長方形、正三角形、直角二等辺三角形で構成するものであっても、前記第２実施形態に記載したフレームバー２や脚部３の構成を付加して採用することができる。
【００４９】
『第４実施形態』
本発明の第４実施形態を図１９から図２２に基づいて説明する。本実施形態では、同一形状の櫛歯状平板の基板１・１を、矩形板体上に二枚一組で対向配置して構成するものである。
【００５０】
前記第１〜第３実施形態のうち、フレーム断面形状が正方形のものを図１９に示す。このような矩形板体に構成することにより、材料歩留が良く、廃棄部分が出ないため、環境に優しく、製造コストを抑えることができる。
【００５１】
同様にして、図２０に示すものはフレーム断面形状が長方形のものであり、また、図２１に示すものはフレーム断面形状が正三角形のものであり、更に、図２２に示すものは、フレーム断面形状が直角二等辺三角形のものである。
【００５２】
何れのものも、使用時に切り離して二枚の基板１を得ることができるが、簡単に切り離せるように、ミシン目あるいは数箇所をつなげておくことが好ましい。
【００５３】
本発明は、概ね上記のように構成されるが、図示の実施形態に限定されるものでは決してなく、「特許請求の範囲」の記載内において種々の変更が可能であって、例えば、フレームバー２の結合手段21は、確実に係合できるものであれば他の構成であっても良い。
【００５４】
また、脚部３は３本や４本に限らず、更に増加することもでき、これら何れのものも本発明の技術的範囲に属する。
【符号の説明】
【００５５】
１    基板
２    フレームバー
21    結合手段
21ａ  羽根片
21ｂ  通孔
21ｃ  起こし片
22    折返片
22ａ  止着孔
３    脚部
31    折曲線
32    連結孔
33    連結アーム
33ａ  連結片
33ｂ  凸部
33ｃ  中折り部
34    止着アーム
34ａ  突起
【図１】
2018095395.tif 000003
【図２】
2018095395.tif 000004
【図３】
2018095395.tif 000005
【図４】
2018095395.tif 000006
【図５】
2018095395.tif 000007
【図６】
2018095395.tif 000008
【図７】
2018095395.tif 000009
【図８】
2018095395.tif 000010
【図９】
2018095395.tif 000011
【図１０】
2018095395.tif 000012
【図１１】
2018095395.tif 000013
【図１２】
2018095395.tif 000014
【図１３】
2018095395.tif 000015
【図１４】
2018095395.tif 000016
【図１５】
2018095395.tif 000017
【図１６】
2018095395.tif 000018
【図１７】
2018095395.tif 000019
【図１８】
2018095395.tif 000020
【図１９】
2018095395.tif 000021
【図２０】
2018095395.tif 000022
【図２１】
2018095395.tif 000023
【図２２】
2018095395.tif 000024
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
櫛歯状平板からなる基板（１）の所定部位を折曲して立体枠状に組立可能なフレーム部材であって、
前記基板（１）の上部にはフレームバー（２）が形成され、このフレームバー（２）の側縁部には結合手段（21）が形成されている一方、このフレームバー（２）からは三以上の脚部（３）が平行して垂設されており、かつ、これら各脚部（３）には長手方向に沿って折曲可能な折曲線（31）が形成されており、
前記フレームバー（２）の側縁部における結合手段（21）が結合して上部にフレームが形成されて、前記脚部（３）により起立可能であるとともに、
各脚部（３）の下端近傍には連結孔（32）が形成されている一方、当該脚部（３）の一部が長手方向に切り込まれて連結アーム（33）が一体成形され、この連結アーム（33）の先端部には連結片（33ａ）が形成されており、
連結アーム（33）の基端部が折曲して側方に傾倒して、隣設した脚部（３）の連結孔（32）に連結片（33ａ）が係合して連結可能であることを特徴とする組立式簡易フレーム。
【請求項２】
櫛歯状平板からなる基板（１）の所定部位を折曲して立体枠状に組立可能なフレーム部材であって、
前記基板（１）の上部にはフレームバー（２）が形成され、このフレームバー（２）の側縁部には結合手段（21）が形成されている一方、このフレームバー（２）からは三以上の脚部（３）が平行して垂設されており、かつ、これら各脚部（３）には長手方向に沿って折曲可能な折曲線（31）が形成されており、
前記フレームバー（２）の側縁部における結合手段（21）が結合して上部にフレームが形成されて、前記脚部（３）により起立可能であるとともに、
各脚部（３）の一部が長手方向に切り込まれて連結アーム（33）が一体成形され、この連結アーム（33）の先端部には連結片（33ａ）が形成されており、
連結アーム（33）の基端部が折曲して側方に傾倒して、隣設した脚部（３）の連結片（33ａ）同士が係合して連結可能であることを特徴とする組立式簡易フレーム。
【請求項３】
櫛歯状平板からなる基板（１）の所定部位を折曲して立体枠状に組立可能なフレーム部材であって、
前記基板（１）の上部にはフレームバー（２）が形成され、このフレームバー（２）の側縁部には結合手段（21）が形成されている一方、このフレームバー（２）からは三以上の脚部（３）が平行して垂設されており、かつ、これら各脚部（３）には長手方向に沿って折曲可能な折曲線（31）が形成されており、
前記フレームバー（２）の側縁部における結合手段（21）が結合して上部にフレームが形成されて、前記脚部（３）により起立可能であるとともに、
フレームバー（２）の上縁部に折返片（22）が形成され、かつ、この折返片（22）には止着孔（22ａ）が形成されている一方、
脚部（３）の一部が長手方向に切り込まれて止着アーム（34）が一体成形されており、この止着アーム（34）が上方に折り返されてその先端部が前記止着孔（22ａ）に挿入可能であることを特徴とする組立式簡易フレーム。
【手続補正２】
【補正対象書類名】明細書
【補正対象項目名】全文
【補正方法】変更
【補正の内容】
【発明の詳細な説明】
【技術分野】
【０００１】
本発明は、ゴミ箱やテーブル脚などに使用可能な簡易なフレーム部材に関するものであり、更に詳しくは、簡単に組み立てることができて、安定かつ確実に起立させることができ、しかも、材料歩留が良くストックスペースも取らず、汎用性も高い組立式簡易フレームに関するものである。
【背景技術】
【０００２】
イベント会場などの多数の来場者が訪れる場所においては、会場にゴミが散乱しないように、相当数のゴミ箱を設置する必要があるが、在庫数量が多いと未使用時における保管スペースの確保が必要であるという問題がある。
【０００３】
また、ゴミ箱自体も使用後にはひどく汚れていることが多くて不衛生であるため、洗浄コストが不可避的にかかってしまう上に、しかも、イベント開催期間は短く入れ替わりが多いため、更にこの洗浄頻度も高くなるという問題もあった。
【０００４】
かかる問題を解決するために、従来、使い捨て式のゴミ箱が開示されている（例えば、特許文献１参照）。
【０００５】
しかしながら、かかる従来のゴミ箱の構成は、ゴミ袋の中身が見えないため、満杯になったゴミ袋の交換時期がわからないという問題がある。また、一枚の厚紙を丸めて構成されているため、丸めた厚紙で保持可能なゴミ袋の容量には限界があるし、また、一枚の厚紙から一つのゴミ箱しかできず、材料の歩留が悪いという問題もある。
【０００６】
また、アウトドアレジャーにおいては、テーブルやバーベキューコンロなどを使用するが、使用後には脚部が汚れが付いていて洗浄や分解等の後片付け作業が面倒であることから、使用後にそのまま廃棄できる手軽さが求められている。
【先行技術文献】
【特許文献】
【０００７】
【特許文献１】実開昭５２−６０１８６号公報
【発明の概要】
【発明が解決しようとする課題】
【０００８】
本発明は、上記のような問題があったことに鑑みて為されたものであり、その目的とするところは、簡単に組み立てることができて、安定かつ確実に起立させることができ、しかも、材料歩留が良くストックスペースも取らず、汎用性も高い組立式簡易フレームを提供することにある。
【課題を解決するための手段】
【０００９】
本発明者が上記技術的課題を解決するために採用した手段を、添付図面を参照して説明すれば、次のとおりである。
【００１０】
即ち、本発明は、櫛歯状平板からなる基板１の所定部位を折曲して立体枠状に組立可能なフレーム部材であって、
前記基板１の上部にはフレームバー２を形成して、このフレームバー２の側縁部には結合手段21を形成する一方、このフレームバー２からは三以上の脚部３を平行して垂設して、かつ、これら各脚部３には長手方向に沿って折曲可能な折曲線31を形成して、
前記フレームバー２の側縁部における結合手段21を結合して上部にフレームを形成して、前記脚部３により起立可能にするとともに、
各脚部３の下端近傍には連結孔32を形成する一方、当該脚部３の一部を長手方向に切り込んで連結アーム33を一体成形し、この連結アーム33の先端部には連結片33ａを形成して、
連結アーム33の基端部を折曲して側方に傾倒して、隣設した脚部３の連結孔32に連結片33ａを係合して連結可能にするという技術的手段を採用したことによって、組立式簡易フレームを完成させた。
【００１１】
また、本発明は、櫛歯状平板からなる基板１の所定部位を折曲して立体枠状に組立可能なフレーム部材であって、
前記基板１の上部にはフレームバー２を形成して、このフレームバー２の側縁部には結合手段21を形成する一方、このフレームバー２からは三以上の脚部３を平行して垂設して、かつ、これら各脚部３には長手方向に沿って折曲可能な折曲線31を形成して、
前記フレームバー２の側縁部における結合手段21を結合して上部にフレームを形成して、前記脚部３により起立可能にするとともに、
各脚部３の一部を長手方向に切り込んで連結アーム33を一体成形して、この連結アーム33の先端部には連結片33ａを形成して、
連結アーム33の基端部を折曲して側方に傾倒して、隣設した脚部３の連結片33ａ同士を係合して連結可能にするという技術的手段を採用することもできる。
【００１２】
更にまた、本発明は、櫛歯状平板からなる基板１の所定部位を折曲して立体枠状に組立可能なフレーム部材であって、
前記基板１の上部にはフレームバー２を形成して、このフレームバー２の側縁部には結合手段21を形成する一方、このフレームバー２からは三以上の脚部３を平行して垂設して、かつ、これら各脚部３には長手方向に沿って折曲可能な折曲線31を形成して、
前記フレームバー２の側縁部における結合手段21を結合して上部にフレームを形成して、前記脚部３により起立可能にするとともに、
フレームバー２の上縁部に折返片22を形成して、かつ、この折返片22には止着孔22ａを形成する一方、
脚部３の一部を長手方向に切り込んで止着アーム34を一体成形して、この止着アーム34を上方に折り返してその先端部を前記止着孔22ａに挿入可能にするという技術的手段を採用することもできる。
【発明の効果】
【００１３】
本発明は、基板の上部にはフレームバーを形成して、このフレームバーの側縁部には結合手段を形成する一方、このフレームバーからは三以上の脚部を平行して垂設して、かつ、これら各脚部には長手方向に沿って折曲可能な折曲線を形成して、
前記フレームバーの側縁部における結合手段を結合して上部にフレームを形成して、前記脚部により起立可能にしたことによって、簡単に組み立てることができて、安定かつ確実に起立させることができる。
【００１４】
また、本発明の組立式簡易フレームは、板体への切り込み工程（カッターによるプレス）のみで、すべての構造部位を成形することができ、廃棄部分を出さずに材料歩留が良く、極めて簡素な工程で製造することができることから、製造コストを劇的に抑えることができる。
【００１５】
更にまた、組立前の展開されたものは薄い板体であるため、重ねるだけで良くストックスペースも取らない。そして、必要に応じて、同一形状の櫛歯状平板の基板を、矩形板体上に二枚一組で対向配置して構成することができるので、非常に生産効率が高く、大量生産も容易になる。
【００１６】
そして、ゴミ袋を支持するためのゴミ箱や、アウトドアレジャーなどに用いるテーブルやコンロなどの脚部材などの様々な用途に使用することができ、使用後に汚れてしまっても、そのまま廃棄することができて非常に手軽で便利であることから、産業上の利用価値は頗る大きい。
【図面の簡単な説明】
【００１７】
【図１】本発明の第１実施形態の組立式簡易フレームを表わす展開図である。
【図２】本発明の第１実施形態の組立式簡易フレームを表わす展開図である。
【図３】本発明の第１実施形態の組立式簡易フレームを表わす展開図である。
【図４】本発明の第２実施形態の組立式簡易フレームを表わす展開図である。
【図５】本発明の第２実施形態の組立式簡易フレームを表わす全体斜視図である。
【図６】本発明の第２実施形態の組立式簡易フレームの構造を表わす部分斜視図である。
【図７】本発明の第２実施形態の組立式簡易フレームの構造を表わす部分斜視図である。
【図８】本発明の第２実施形態の組立式簡易フレームの構造を表わす部分斜視図である。
【図９】本発明の第２実施形態の組立式簡易フレームの構造を表わす部分斜視図である。
【図１０】本発明の第２実施形態の組立式簡易フレームの構造を表わす部分斜視図である。
【図１１】本発明の第２実施形態の組立式簡易フレームの構造を表わす部分斜視図である。
【図１２】本発明の第２実施形態の組立式簡易フレームの構造を表わす部分斜視図である。
【図１３】本発明の第２実施形態の組立式簡易フレームの構造を表わす部分斜視図である。
【図１４】本発明の第２実施形態の組立式簡易フレームの構造を表わす部分斜視図である。
【図１５】本発明の第２実施形態の組立式簡易フレームの構造を表わす全体斜視図である。
【図１６】本発明の第３実施形態の組立式簡易フレームを表わす展開図である。
【図１７】本発明の第３実施形態の組立式簡易フレームを表わす展開図である。
【図１８】本発明の第３実施形態の組立式簡易フレームを表わす展開図である。
【図１９】本発明の第４実施形態の組立式簡易フレームを表わす展開図である。
【図２０】本発明の第４実施形態の組立式簡易フレームを表わす展開図である。
【図２１】本発明の第４実施形態の組立式簡易フレームを表わす展開図である。
【図２２】本発明の第４実施形態の組立式簡易フレームを表わす展開図である。
【発明を実施するための形態】
【００１８】
『第１実施形態』
本発明の第１実施形態を図１から図３に基づいて説明する。本実施形態は、本発明の組立式簡易フレームの基本的構成であり、展開図のみを示している。図中、符号１で指示するものは基板であり、この基板１は、紙製またはプラスチック製のダンボールや、所定厚のシート材などを使用材料とする剛性を有する板体であって、折り曲げた位置において塑性変形するものが好ましい。また、符号２で指示するものはフレームバーであり、符号３で指示するものは脚部である。
【００１９】
本発明の組立式簡易フレームは、櫛歯状平板からなる基板１の所定部位を折曲して立体枠状に組立可能なフレーム部材であって、構成するにあっては、まず、前記基板１の上部にはフレームバー２を形成して、このフレームバー２の側縁部には一対の結合手段21・21を形成する。即ち、フレームバー２は、フレームの周囲となる全長に亙る部分である。前記結合手段21・21の形態については後述する。
【００２０】
そして、このフレームバー２からは三以上の脚部３を平行して垂設して、かつ、これら各脚部３には長手方向に沿って折曲可能な折曲線31（図中の一点鎖線）を形成する。本実施形態では４本の脚部３を略等間隔に設け、特に、各折曲線31同士を等間隔にすることにより、正方形のフレームを形成することができる。
【００２１】
なお、本実施形態では、展開図のみを示しているが、組み立てる際には、前記全ての折曲線31を９０度の直角Ｌ字状に折曲するとともに、前記フレームバー２の側縁部における結合手段21・21同士を結合して上部にフレームを形成して、前記脚部３により起立させることができる。
【００２２】
本実施形態における結合手段21・21は、図１および図２に示すような形状に構成することができるが（結合方法の詳細は後述する）、この際、図３に示すように、結合手段21・21の配設位置を図２に示した位置とは逆に入れ替えることもできる。
【００２３】
このようにして、簡単に組み立てることができ、この簡易フレームは、ゴミ袋を支持するためのゴミ箱や、アウトドアレジャーなどに用いるテーブルやコンロなどの脚部材などの様々な用途に使用することができる。
【００２４】
『第２実施形態』
本発明の第２実施形態を図４から図１５に基づいて説明する。図４は本実施形態の組立式簡易フレームの展開図であり、図５は全体斜視図である。本実施形態では、まず、各脚部３の下端近傍には連結孔32を形成する一方、当該脚部３の一部を長手方向に切り込んで連結アーム33を一体成形して、この連結アーム33の先端部には連結片33ａを形成する。
【００２５】
そして、連結アーム33の基端部を折曲して側方（直角方向）に傾倒して、隣設した脚部３の連結孔32に連結片33ａを係合して連結することができる。この際、基端部を折曲しやすいように、例えば４５度のガイド線などを設けるのが好ましい。また、連結片33ａに凸部33ｂを設けることにより、連結孔32に対する引っ掛かりを良くすることができる。この凸部33ｂについても切り込みのみで一体に成形することができる。
【００２６】
また、本実施形態では、脚部３の連結アーム33の軸方向に沿って中折り部33ｃを形成して、この中折り部33ｃを折曲した状態で、連結片33ａが連結孔32に係合して連結することができる（図６参照）。こうすることにより、連結アーム33の剛性が向上するとともに、先端が三角形になるために、連結孔32の内側で先端が拡開して係合力を強化することができる。
【００２７】
更にまた、本実施形態では、フレームバー２の上縁部に折返片22を形成して、かつ、この折返片22には止着孔22ａを形成する一方、脚部３の一部を長手方向に切り込んで止着アーム34を一体成形して、この止着アーム34を上方に折り返してその先端部を前記止着孔22ａに挿入することができる（図７参照）。
【００２８】
こうすることにより、例えば、フレームバー２および脚部３により構成されたフレームの内側において、前記折返片22を外側に折り返した状態でゴミ袋を開口させて装着して、このゴミ袋の開口縁部が止着孔22ａに充行われた状態で、そこに止着アーム34を挿入することによって、ゴミ袋が押し込まれて止着することができる。
【００２９】
なお、この際、脚部３の長手方向に沿って同一線上に連結アーム33と止着アーム34とをそれぞれ成形することができ、基板１の材料を無駄なく有効に使用することができる。
【００３０】
更にまた、本実施形態では、脚部３の連結アーム33の先端を山型に形成する一方、この残部として止着アーム34の先端に突起34ａを形成することができ、止着アーム34を止着孔22ａに挿入して、この突起34ａをゴミ袋の開口縁部に高い押圧力で食い込ませることができ、ゴミ袋をより確実に止着することができる。
【００３１】
また、本実施形態では、図８から図１２に示すように、フレームバー２の側縁部における折返片22Ｐに一方の結合手段21を形成して、折返片22Ｐを側方に折曲して突出させて、他方の結合手段21に結合することができる。こうすることにより、基板１の縁部からはみ出ることなく内側に形成できるので使用材料に無駄が出ない。
【００３２】
具体的には、まず、図８に示す状態から、直角方向に折り曲げて図９の状態にし、更に下方に折り曲げる。この際、フレームバー２の一方の結合手段21を、端縁から切り込まれた羽根片21ａにする一方、他方の結合手段21を通孔21ｂにして、羽根片21ａを折り畳んだ状態（図１０参照）で通孔21ｂに挿入して当該羽根片21ａが展開して掛止可能にすることができる（図１１参照）。こうすることにより、簡単な操作で掛止できて、かつ、抜けにくくすることができる。
【００３３】
また、本実施形態では、図１３および図１４に示すように、フレームバー２の一方の結合手段21を切り込みによる起こし片21ｃにして、この起こし片21ｃを側方に折曲して突出させて、他方の結合手段21に結合可能にすることができる。こうすることにより、基板１の縁部からはみ出ることなく内側に形成できるので使用材料に無駄が出ない。なお、第１実施形態の図２および図３に示すとおり、起こし片21ｃの配設位置は、逆に入れ替えることができる。
【００３４】
この際、起こし片21ｃの先端を羽根片21ａにする一方、他方の結合手段21を通孔21ｂにすることにより、前記同様に結合することができる。
【００３５】
また、本実施形態では、図１５に示すように、脚部３の連結アーム33において中折り部33ｃを形成しなくても良く、例えば、連結片33ａにスリットを設けて、連結孔32に掛止するものであっても良い。
【００３６】
また、図示しないが、各脚部３の一部を長手方向に切り込んで連結アーム33を一体成形して、この連結アーム33の先端部には連結片33ａを形成して、連結アーム33の基端部を折曲して側方に傾倒して、隣設した脚部３の連結片33ａ同士を係合すること（所謂「握手式」）によっても連結することができる。この際、連結片33ａは、各連結アーム33に互いに異なる方向（例えば上側と下側から）のスリットを形成して、これらを掛止するなど種々の構造を採用することができる。なお、脚部３同士の連結箇所は複数あるため、間隔によって、連結片33ａ同士を係合するものと、連結アーム33の連結片33ａを連結孔32に挿通して係合するものとを併用することもできる。
【００３７】
『第３実施形態』
本発明の第３実施形態を図１６から図１８に基づいて説明する。本実施形態は、組立後のフレームの断面形状が正方形以外の長方形、正三角形、直角二等辺三角形で構成するものである。具体的には、基板１における脚部３の数および折曲線31同士の間隔を調整するものであり、図１６に示すものはフレームの断面形状が長方形の場合の展開図であり、各脚部３に長手方向に沿って形成した折曲線31を折曲して組み立てることができる。
【００３８】
また、図１７に示すものはフレームの断面形状が正三角形の場合の展開図であり、各脚部３に長手方向に沿って形成した折曲線31を折曲して組み立てることができる。
【００３９】
同様に、図１８に示すものはフレームの断面形状が直角二等辺三角形の場合の展開図であり、各脚部３に長手方向に沿って形成した折曲線31を折曲して組み立てることができる。直角二等辺三角形に構成した場合は、例えば、壁面の隅角部などにおいて、２つの短辺を壁面に沿って設置して、省スペースに収めることができる。
【００４０】
なお、本実施形態に示した、フレームの断面形状が長方形、正三角形、直角二等辺三角形で構成するものであっても、前記第２実施形態に記載したフレームバー２や脚部３の構成を付加して採用することができる。
【００４１】
『第４実施形態』
本発明の第４実施形態を図１９から図２２に基づいて説明する。本実施形態では、同一形状の櫛歯状平板の基板１・１を、矩形板体上に二枚一組で対向配置して構成するものである。
【００４２】
前記第１〜第３実施形態のうち、フレーム断面形状が正方形のものを図１９に示す。このような矩形板体に構成することにより、材料歩留が良く、廃棄部分が出ないため、環境に優しく、製造コストを抑えることができる。
【００４３】
同様にして、図２０に示すものはフレーム断面形状が長方形のものであり、また、図２１に示すものはフレーム断面形状が正三角形のものであり、更に、図２２に示すものは、フレーム断面形状が直角二等辺三角形のものである。
【００４４】
何れのものも、使用時に切り離して二枚の基板１を得ることができるが、簡単に切り離せるように、ミシン目あるいは数箇所をつなげておくことが好ましい。
【００４５】
本発明は、概ね上記のように構成されるが、図示の実施形態に限定されるものでは決してなく、「特許請求の範囲」の記載内において種々の変更が可能であって、例えば、フレームバー２の結合手段21は、確実に係合できるものであれば他の構成であっても良い。
【００４６】
また、脚部３は３本や４本に限らず、更に増加することもでき、これら何れのものも本発明の技術的範囲に属する。
【符号の説明】
【００４７】
１    基板
２    フレームバー
21    結合手段
21ａ  羽根片
21ｂ  通孔
21ｃ  起こし片
22    折返片
22ａ  止着孔
３    脚部
31    折曲線
32    連結孔
33    連結アーム
33ａ  連結片
33ｂ  凸部
33ｃ  中折り部
34    止着アーム
34ａ  突起